(57)【特許請求の範囲】
【請求項１】
天面壁と該天面壁から垂下する筒状スカート壁とを有する内蓋と、天面壁と該天面壁から垂下する筒状スカート壁とを有し該内蓋に被嵌せしめられる外蓋との組合せから成り、
該内蓋の該スカート壁の内周面には雌螺条が形成され、該内蓋の該スカート壁の外周面又は該天面壁の外面には被連動手段が形成されており、
該外蓋の該スカート壁の内周面又は該天面壁の内面には、該内蓋の該被連動手段と協働して該外蓋の回転に付随せしめて該内蓋を回転せしめるための連動手段が形成されており、
該外蓋の該スカート壁は該内蓋の該スカート壁の下端を越えて下方に延出せしめられており、
該外蓋は、周方向に間隔をおいて該スカート壁の下端から上端近傍まで軸線方向に延びる一対の直線状延在部と該スカート壁を周方向に延びて該一対の直線状延在部を接続する弧状延在部とから構成された破断ラインによって第一の部分と第二の部分とに区画され、該第二の部分は該弧状延在部の下方に区画されており、
該第二の部分における該スカート壁の、該内蓋の該スカート壁を越えて下方に延出せしめられている下部の内周面には、容器に形成されている被係止手段に係止せしめられて該第二の部分の軸線方向上方への移動を阻止するための係止手段が形成されているが、該第一の部分における該スカート壁の、該内蓋の該スカート壁を越えて下方に延出せしめられている下部の内周面には、該係止手段が形成されていない、
ことを特徴とするタンパーエビデント特性を備えた複合容器蓋。
【請求項２】
天面壁と該天面壁から垂下する筒状スカート壁とを有する内蓋と、天面壁と該天面壁から垂下する筒状スカート壁とを有し該内蓋に被嵌せしめられる外蓋との組合せから成り、
該内蓋の該スカート壁の内周面には雌螺条が形成され、該内蓋の該スカート壁の外周面又は該天面壁の外面には被連動手段が形成されており、
該外蓋の該スカート壁の内周面又は該天面壁の内面には、該内蓋の該被連動手段と協働して該外蓋の回転に付随せしめて該内蓋を回転せしめるための連動手段が形成されており、
該外蓋の該スカート壁は該内蓋の該スカート壁の下端を越えて下方に延出せしめられており、
該外蓋は、周方向に間隔をおいて該スカート壁の下端から上端まで軸線方向に延び、次いで該天面壁の外周縁部に延出する一対の直線状延在部と該天面壁の外周縁部を弧状に延びて該一対の直線状延在部を接続する弧状延在部とから構成された破断ラインによって第一の部分と第二の部分とに区画され、該第二の部分は該弧状延在部よりも半径方向外方及び下方に区画されており、
該第二の部分における該スカート壁の、該内蓋の該スカート壁を越えて下方に延出せしめられている下部の内周面には、容器に形成されている被係止手段に係止せしめられて該第二の部分の軸線方向上方への移動を阻止するための係止手段が形成されているが、該第一の部分における該スカート壁の、該内蓋の該スカート壁を越えて下方に延出せしめられている下部の内周面には、該係止手段が形成されていない、
ことを特徴とするタンパーエビデント特性を備えた複合容器蓋。
【請求項３】
該一対の直線状延在部は略１８０度の角度間隔をおいて配設されており、該弧状延在部は略１８０度の角度範囲に渡って弧状に延びている、請求項１又は２記載の複合容器蓋。
【発明の詳細な説明】
【０００１】
【発明の属する技術分野】
本発明は、内蓋とこれに被嵌せしめられる外蓋との組合せから成る、タンパーエビデント特性（容器開封のために容器の口頸部から一旦離脱されると、かかる事実が明確に表示される特性）を備えた複合容器蓋に関する。
【０００２】
【従来の技術】
飲料用瓶の如き容器として、一般に、口頸部の外周面には雄螺条と共にその下方に位置する被係止手段（所謂係止あご部）が形成されている形態の容器が使用されている。そして、かかる容器のための容器蓋として、特開昭５６−７４４４５号公報、特開昭６０−１４８４６３号公報及び特開平３−６９４６０号公報に開示されている形態の、タンパーエビデント特性を備えた形態のものが広く実用に供されている。かかる容器蓋はポリエチレン又はポリプロピレンの如き適宜の合成樹脂から成形され、円形天面壁とこの天面壁の周縁から垂下する円筒形スカート壁を有する。スカート壁には周方向破断ラインが形成されており、スカート壁は周方向破断ラインより上方の主部と周方向破断ラインより下方のタンパーエビデント裾部とに区画されている。スカート壁の主部の内周面には、口頸部に形成されている雄螺条に螺合せしめられる雌螺条が形成されている。また、タンパーエビデント裾部の内周面には、口頸部に形成されている被係止手段に係止せしめられる係止手段が形成されている。
【０００３】
口頸部に容器蓋を装着して容器を密封する際には、口頸部に容器蓋を被嵌して閉方向に回転せしめ、かくして容器蓋の雌螺条を口頸部の雄螺条に螺合せしめる。この際には、口頸部に対して容器蓋が回転と共に下方に移動せしめられ、容器蓋の係止手段は口頸部の被係止手段を弾性的に乗り越え、次いで弾性的に復元して口頸部の被係止部に係止せしめられる。口頸部から容器蓋を離脱せしめて容器を開封する際には、容器蓋を開方向に回転せしめる。かくすると、容器蓋は回転と共に上方に移動せしめられるが、タンパーエビデント裾部は、その内周面に形成されている係止手段が口頸部の被係止手段に係止されている故に、上方への移動が阻止される。これによって、周方向破断ラインに相当な応力が生成されて周方向破断ラインが周方向全体に渡って破断され、タンパーエビデント裾部がスカート壁の主部から分離される。そして、タンパーエビデント裾部を口頸部に残留せしめて容器蓋のその他の部分が口頸部から離脱される。或いは、周方向破断ラインに加えてタンパーエビデント裾部を軸線方向に延びる軸線方向破断ラインも形成されている場合には、周方向破断ラインの一部は破断されることなく維持され、軸線方向破断ラインが破断されてタンパーエビデント裾部が無端環状から有端帯状に展開される。そして、タンパーエビデント裾部を含む容器蓋の全体が口頸部から離脱される。
【０００４】
【発明が解決しようとする課題】
而して、容器の開封の際にタンパーエビデント裾部が口頸部に残留せしめられる形態の容器蓋には、（１）一旦開封した容器を再び密封するために、口頸部から離脱せしめられた容器蓋の、タンパーエビデント裾部以外の部分を口頸部に再び装着すると、タンパーエビデント裾部とそれ以外の部分とが未だ一体に維持されているかの如き外観を呈することが少なくなく、従ってタンパーエビデント特性が充分でない、（２）容器を回収して再使用する場合には、残留しているタンパーエビデント裾部を口頸部から除去することが必要であり、かかる除去操作が煩雑である、という問題がある。
【０００５】
容器の開封の際にタンパーエビデント裾部が有端帯状に展開されて容器蓋の全体が口頸部から離脱される形態の容器蓋には、一旦開封した容器を再び密封するためには、容器蓋を口頸部に再装着するのに先立って、タンパーエビデント裾部をスカート壁の主部から離脱することが必要であり、かかる離脱操作が必ずしも容易でない、という問題がある。
【０００６】
本発明は上記事実に鑑みてなされたものであり、その主たる技術的課題は、タンパーエビデント特性を備えた従来の容器蓋に存在する上述したとおりの問題がない、即ち容器を開封する際には容器蓋の全体が口頸部から離脱せしめられ、容器を一旦開封するとかかる事実が明確に表示され、そしてまた口頸部から離脱した後に容器蓋の特定部位を破断する等の煩雑な付加的操作を必要とすることなく容器を再密封することができる、独特な形態の新規且つ優れた複合容器蓋を提供することである。
【０００７】
【課題を解決するための手段】
本発明の第一の局面によれば、上記主たる技術的課題を達成する複合容器蓋として、天面壁と該天面壁から垂下する筒状スカート壁とを有する内蓋と、天面壁と該天面壁から垂下する筒状スカート壁とを有し該内蓋に被嵌せしめられる外蓋との組合せから成り、
該内蓋の該スカート壁の内周面には雌螺条が形成され、該内蓋の該スカート壁の外周面又は該天面壁の外面には被連動手段が形成されており、
該外蓋の該スカート壁の内周面又は該天面壁の内面には、該内蓋の該被連動手段と協働して該外蓋の回転に付随せしめて該内蓋を回転せしめるための連動手段が形成されており、
該外蓋の該スカート壁は該内蓋の該スカート壁の下端を越えて下方に延出せしめられており、
該外蓋は、周方向に間隔をおいて該スカート壁の下端から上端近傍まで軸線方向に延びる一対の直線状延在部と該スカート壁を周方向に延びて該一対の直線状延在部を接続する弧状延在部とから構成された破断ラインによって第一の部分と第二の部分とに区画され、該第二の部分は該弧状延在部の下方に区画されており、
該第二の部分における該スカート壁の、該内蓋の該スカート壁を越えて下方に延出せしめられている下部の内周面には、容器に形成されている被係止手段に係止せしめられて該第二の部分の軸線方向上方への移動を阻止するための係止手段が形成されているが、該第一の部分における該スカート壁の、該内蓋の該スカート壁を越えて下方に延出せしめられている下部の内周面には、該係止手段が形成されていない、
ことを特徴とするタンパーエビデント特性を備えた複合容器蓋が提供される。
また、本発明の第二の局面によれば、上記主たる技術的課題を達成する複合容器蓋として、天面壁と該天面壁から垂下する筒状スカート壁とを有する内蓋と、天面壁と該天面壁から垂下する筒状スカート壁とを有し該内蓋に被嵌せしめられる外蓋との組合せから成り、
該内蓋の該スカート壁の内周面には雌螺条が形成され、該内蓋の該スカート壁の外周面又は該天面壁の外面には被連動手段が形成されており、
該外蓋の該スカート壁の内周面又は該天面壁の内面には、該内蓋の該被連動手段と協働して該外蓋の回転に付随せしめて該内蓋を回転せしめるための連動手段が形成されており、
該外蓋の該スカート壁は該内蓋の該スカート壁の下端を越えて下方に延出せしめられており、
該外蓋は、周方向に間隔をおいて該スカート壁の下端から上端まで軸線方向に延び、次いで該天面壁の外周縁部に延出する一対の直線状延在部と該天面壁の外周縁部を弧状に延びて該一対の直線状延在部を接続する弧状延在部とから構成された破断ラインによって第一の部分と第二の部分とに区画され、該第二の部分は該弧状延在部よりも半径方向外方及び下方に区画されており、
該第二の部分における該スカート壁の、該内蓋の該スカート壁を越えて下方に延出せしめられている下部の内周面には、容器に形成されている被係止手段に係止せしめられて該第二の部分の軸線方向上方への移動を阻止するための係止手段が形成されているが、該第一の部分における該スカート壁の、該内蓋の該スカート壁を越えて下方に延出せしめられている下部の内周面には、該係止手段が形成されていない、
ことを特徴とするタンパーエビデント特性を備えた複合容器蓋が提供される。
【０００８】
該一対の直線状延在部は略１８０度の角度間隔をおいて配設されており、該弧状延在部は略１８０度の角度範囲に渡って弧状に延びているのが好ましい。
【０００９】
【作用】
本発明の複合容器蓋においては、容器の開封に際して外蓋を開方向に回転せしめると、外蓋の回転に付随して内蓋も開方向に回転せしめられ、従って内蓋の雌螺条と口頸部の雄螺条との協働により、容器蓋は回転と共に上方に移動せしめられる。然るに、外蓋の第二の部分はその係止手段が口頸部の被係止手段に係止せしめられている故に上方への移動が阻止され、これによって外蓋の破断ラインが破断されて外蓋が第一の部分と第二の部分とに分離され、口頸部から離脱されると共に内蓋からも離脱される。かくして、容器を一旦開封すると、かかる事実が明確に表示される。必要に応じて、内蓋の天面壁の外面或いはスカート壁の外周面に、容器が一旦開封されたことを使用者に教示する記載、例えば「開封済」、を印刷し、かくしてタンパーエビデント特性が一層確実に確保されるようになすこともできる。容器を再密封するためには、外蓋が分離された内蓋を口頸部に被嵌し、閉方向に回転せしめてその雌螺条を口頸部の雄螺条に再螺合せしめさえすればよい。
【００１０】
【発明の実施の形態】
以下、添付図面を参照して、本発明に従って構成された複合容器蓋の好適実施形態について、更に詳細に説明する。
【００１１】
図１及び図２を参照して説明すると、本発明に従って構成された複合容器蓋は、全体を番号２で示す内蓋と全体を番号４で示す外蓋とから構成されている。
【００１２】
内蓋２は、ポリプロピレン又はポリエチレンの如き適宜の合成樹脂、或いはアルミニウム基合金薄板、クロム酸処理鋼薄板又はブリキ薄板の如き適宜の金属薄板から形成することができる。この内蓋２は、円形天面壁６とこの天面壁６の周縁から垂下する円筒形スカート壁８とを有する。スカート壁８の内周面には雌螺条１０が形成されている。スカート壁８の外周面には被連動手段１２が形成されている。図１及び図２と共に図３を参照することによって明確に理解される如く、被連動手段１２は周方向に交互に配設されている多数の山部１４と谷部１６とから構成されており、スカート壁８の全周に渡って形成されている。図１に明確に図示する如く、多数の山部１４の上端部は上方に向けて半径方向内方に傾斜せしめられている。天面壁６の内面には、発泡ポリエチレンの如き比較的柔軟な材料から別個に形成された円板形状のライナー１８が挿入されている。所望ならば、所謂インシェルモールド法により、軟質ポリエチレンの如き適宜の合成樹脂を使用して天面壁６の内面に直接的に所要形状のライナーを押圧成形することもできる。
【００１３】
外蓋４も、ポリプロピレン又はポリエチレンの如き適宜の合成樹脂、或いはアルミニウム基合金薄板、クロム酸処理鋼薄板又はブリキ薄板の如き適宜の金属薄板から形成することができる。かかる外蓋４も、円形天面壁２０とこの天面壁２０の周縁から垂下する円筒形スカート壁２２とを有する。スカート壁２２の内周面には、周方向に連続して延びる保持突条２４が形成されている。更に、スカート壁２２の内周面の、保持突条２４よりも上方の領域には、内蓋２における上記被連動手段１２と協働する連動手段２６が形成されている。図１及び図２と共に図３を参照することによって明確に理解される如く、連動手段２６は周方向に交互に配設されている多数の山部２８と谷部３０とから構成されており、スカート壁２２の全周に渡って形成されている。外蓋４のスカート壁２２の内径は内蓋２のスカート壁８の外径と実質上同一乃至これよりも若干大きい。連動手段２６の山部２８の周方向幅は、被連動手段１２の谷部１６の周方向幅と実質上同一乃至これより若干小さく、連動手段２６の谷部３０の周方向幅は、被連動手段１２の山部１４の周方向幅と実質上同一乃至これより若干大きい。外蓋４のスカート壁２２の内周面に形成されている上記保持突条２４の内径は、内蓋２のスカート壁８の外径よりも若干小さい。外蓋４のスカート壁２２の外周面には、そこに掛けられる指の滑りを防止するためのローレット（多数の凹凸形状）３１が形成されている。
【００１４】
図１及び図２を参照して説明を続けると、外蓋４には破断ライン３２が形成されており、外蓋４は第一の部分３４と第二の部分３６とに区画されている。破断ライン３２は一対の直線状延在部３８及び４０と弧状延在部４２とから構成されている。一対の直線状延在部３８及び４０は、相互に略１８０度の角度間隔をおいて配設されており、スカート壁２２の下端から上端近傍まで実質上鉛直に延びている。弧状延在部４２は、スカート壁２２の上端近傍を周方向に略１８０度の角度範囲に渡って弧状に延在し、一対の直線状延在部３８及び４０の上端間を接続している。弧状延在部４２の下方に区画される第二の部分３６は、略１８０度の角度範囲に渡って延びる弧状片である。破断ライン３２自体は、延在方向に若干の間隔をおいて形成された多数のスリット４４とかかるスリット４４間に残留せしめられている多数の橋絡部４６とから構成されている。所望ならば、材料厚さを局部的に低減せしめるとによって形成される所謂スコアから破断ライン３２を構成することもできる。外蓋４の第二の部分３６におけるスカート壁２２の内周面の下部には、係止手段４８が配設されている。図示の実施形態における係止手段４８は、第二の部分３６の周方向両側端部を除いて、スカート壁２２の内周面下端から半径方向内方に向かって上方に傾斜して突出する係止片から構成されている。所望ならば、スカート壁２２の内周面から半径方向内方に向かって開方向（図２において上方から見て反時計方向）に延びるフラップ片、或いはスカート壁２２の内面から半径方向内方に突出する突条等から、係止手段４８を構成することもできる。
【００１５】
図２に明確に図示する如く、外蓋４は内蓋２に被嵌せしめられる。換言すれば、内蓋２は外蓋４内に収容される。外蓋４内に内蓋２を収容する際には、内蓋２を強制的に挿入して、外蓋４のスカート壁２２に形成されている保持突条２４よりも上方の空間に内蓋２を位置せしめる。上述した如く、保持突条２４の内径は内蓋２のスカート壁８の外径よりも若干小さい故に、内蓋２が保持突条２４を通過する際には外蓋４及び／又は内蓋２が幾分弾性的に変形せしめられる。そして、内蓋２の全体が保持突条２４を通過すると、保持突条２４の存在により、内蓋２が下方に脱落することが効果的に防止される。更に、外蓋４内に内蓋２を挿入する際には、内蓋２のスカート壁６の外周面に形成されている被連動手段１２における山部１４と谷部１６が、夫々、外蓋４のスカート壁２２の内周面に形成されている連動手段２６における谷部３０と山部２８に整合せしめられ、図３に明確に図示する如く、被連動手段１２の山部１４が連動手段２６の谷部３０に被連動手段１２の谷部１６が連動手段２６の山部２８に係合せしめられる。
【００１６】
図２を参照して説明を続けると、上述したとおりに組み合わされた内蓋２と外蓋４とから成る複合容器蓋は、２点鎖線で簡略に図示する形態の口頸部５０を有する容器に適用される。ポリエチレンテレフタレート（ＰＥＴ）の如き適宜の合成樹脂又はガラスから形成することができる容器の口頸部５０は略円筒形であり、その外周面には雄螺条５２と被係止手段５４が形成されている。被係止手段５４は雄螺条５２の下方に形成されている所謂係止あご部から構成されている。
【００１７】
口頸部５０に複合容器蓋を装着して容器を密封する際には、口頸部に複合容器蓋を被嵌し、外蓋４を閉方向（図２において上方から見て時計方向）に回転せしめる。かくすると、外蓋４の連動手段２６と内蓋２の被連動手段１２との協働により内蓋２も閉方向に回転せしめられ、内蓋２の雌螺条１０が口頸部５０の雄螺条５２に螺合せしめられ、従って複合容器蓋は閉方向への回転と共に軸線方向下方に移動せしめられる。外蓋４のスカート壁２２の下部、即ち保持突条２４よりも下方の部分は、内蓋２のスカート壁８の下端を越えて下方に延出せしめられており、外蓋４の第二の部分３６においては、スカート壁２２の下端部に係止手段４８が形成されている。かかる係止手段４８は口頸部５０に形成されている被係止手段５４に干渉されて弾性的に半径方向外方に変形せしめられて、被係止手段５４を通過し、次いで弾性的に復元して被係止手段５４の下面に係止せしめられる。かようにして複合容器蓋が口頸部５０に所要通りに装着せしめられると、内蓋２の天面壁６の内面に配設されているライナー１８が口頸部５０の上端に密接せしめられ、かくして口頸部５０が密封される。
【００１８】
容器を開封するためには、外蓋４に指を掛けて開方向（図２において上方から見て反時計方向）に回転せしめる。かくすると、外蓋４の連動手段２６と内蓋２の被連動手段１２との協働により内蓋２も開方向に回転せしめられ、従って内蓋２の雌螺条１０と口頸部５０の雄螺条５２との協働により、内蓋２は開方向への回転と共に上方に移動せしめられる。そして、内蓋２が上方に移動せしめられると、これに応じて外蓋４も上方に強制される。然るに、外蓋４の第二の部分３６においては、係止手段４８が口頸部５０の被係止手段５４に係止せしめられている故に、上方への移動が阻止される。かくして、外蓋４の破断ライン３２に相当な応力が生成され、図４に模式的に図示する如く、破断ライン３２が破断、更に詳しくは橋絡部４６が破断され、外蓋４が第一の部分３４と第二の部分３６に分割される。かくすると、外蓋４は必然的に内蓋２から離脱される。内蓋２は、必要に応じて更に開方向に回転せしめられて、口頸部５０から離脱される。かくして、容器の口頸部５０が開封される。外蓋４は第一の部分３４と第二の部分３６とに分割され、元の形態に復元することは実質上不可能である故に、容器の口頸部５０を一旦開封すると、かかる事実が確実に表示されてタンパーエビデント特性が確保される。内蓋２の天面壁６の外面或いはスカート壁８の外周面に、例えば「開封済」等の表示を印刷しておけば、一般消費者にも、容器が一旦開封されたことが明確に理解される。容器の内容物を部分的に消費した後に、口頸部５０を再び密封することが望まれる場合には、外蓋４が分離された内蓋２を口頸部５０に被嵌し、閉方向に回転せしめて内蓋２の雌螺条１０を口頸部５０の雄螺条５２に再び螺合せしめさえすればよい。
【００１９】
図５は、外蓋の変形例を図示している。図５に図示する外蓋１０４においては、破断ライン１３２は一対の直線状延在部１３８及び１４０と弧状延在部１４２とから構成されている。一対の直線状延在部１３８及び１４０は、相互に略１８０度の角度間隔をおいて配設されており、スカート壁１２２の下端から上端まで実質上鉛直に延び、そして更に天面壁１２０の外周縁部に半径状に延出している。弧状延在部１４２は、天面壁１２０の外周縁部を周方向に略１８０度の角度範囲に渡って弧状に延在し、一対の直線状延在部１３８及び１４０の延出端間を接続している。外蓋１０４の第二の部分は弧状延在部１４２の半径方向外側及び下方に区画されている。図５に図示する外蓋１０４の、破断ライン１３２以外の構成は、図１乃至図４を参照して説明した複合容器蓋における外蓋４と実質上同一である。
【００２０】
而して、上述した複合容器蓋においては、内蓋２のスカート壁８の外周面全体渡って配設した多数の山部１４及び谷部１６から被連動手段１２を構成し、外蓋４又は１０４のスカート壁２２又は１２２の内周面全体に渡って配設した多数の山部２８及び谷部３０から連動手段２６を構成しているが、所望ならば、被連動手段１２と連動手段２６との少なくともいずれか一方を、周方向に間隔をおいて形成された少数個の山部及び／又は谷部から構成することもできる。また、成形の際の型抜きの容易性等の見地から、所望ならば、外蓋４又は１０４の第一の部分３４のスカート壁２２の内周面のみに連動手段２６を形成し、連動手段２６を構成する山部２８の上端を天面壁２０の内面に接続することもできる。更に、所望ならば、内蓋２の被連動手段を、スカート壁８の外周面ではなくて天面壁６の外面に形成された突起又は窪み等から構成し、外蓋４又は１０４の連動手段を、スカート壁２２又は１２２の内周面ではなくて天面壁２０又は１２０の内面に形成され、内蓋２の天面壁６の外面に形成された突起又は窪みと協働する窪み又は突起等から構成することもできる
【００２１】
【発明の効果】
本発明の複合容器蓋においては、容器を開封する際には、一部を口頸部に残留せしめることなく容器蓋の全体が口頸部から離脱せしめられる。容器蓋を口頸部から離脱せしめて容器を一旦開封せしめると、かかる事実が明確に表示される。容器を再び密封するためには、開封の際に外蓋が離脱された内蓋を単独で口頸部に再装着しさえすればよい。
【図面の簡単な説明】
【図１】本発明に従って構成された複合容器蓋の好適実施形態を図示する分解斜面図。
【図２】図１の複合容器蓋を、半分を断面で半分を側面で図示する図。
【図３】図１の複合容器蓋の一部を図示する断面図。
【図４】図１の複合容器蓋を容器の口頸部から離脱せしめる際の挙動を説明するための斜面図。
【図５】外蓋の変形例を図示する斜面図。
【符号の説明】
２：内蓋
４：外蓋
６：内蓋の天面壁
８：内蓋のスカート壁
１０：雌螺条
１２：被連動手段
１４：被連動手段の山部
１６：被連動手段の谷部
２０：外蓋の天面壁
２２：外蓋のスカート壁
２６：連動手段
２８：連動手段の山部
３０：連動手段の谷部
３２：破断ライン
３４：外蓋の第一の部分
３６：外蓋の第二の部分
３８：破断ラインの直線状延在部
４０：破断ラインの直線状延在部
４２：破断ラインの弧状延在部
４８：係止手段
５０：容器の口頸部
５２：雄螺条
５４：被係止手段
１０４：外蓋
１２０：外蓋の天面壁
１２２：外蓋のスカート壁
１３２：破断ライン
１３８：直線状延在部
１４０：直線状延在部
１４２：弧状延在部
【図１】
0003715359.tif 000002
【図２】
0003715359.tif 000003
【図３】
0003715359.tif 000004
【図４】
0003715359.tif 000005
【図５】
0003715359.tif 000006